(57)【特許請求の範囲】
【請求項１】
表示装置と、
前記表示装置の上部に配置され、前記表示装置の表示領域外の対応する領域に第１のスイッチを設けたタッチパネルと、
前記タッチパネルの上部に設けられ、前記タッチパネルの第１のスイッチをオン、オフさせるキーと、
前記タッチパネルのスイッチであって、携帯端末装置のケースの突起により押圧される位置に設けられ、前記突起により押圧された状態のときオンまたはオフ状態となる第２のスイッチと、
前記第２のスイッチがオン状態か、あるいはオフ状態かにより前記携帯端末装置が分解されたか否かを判断し、前記携帯端末装置が分解されたものと判断した場合に、内部に記憶されているデータを読み出せなくする制御手段とを備えるデータ保護機能を有する携帯端末装置。
【請求項２】
表示装置と、
前記表示装置の上部に配置され、前記表示装置の表示領域外の対応する領域に第１のスイッチを設けるとともに、外周部に装置のグランドと接続される導体層を形成したタッチパネルと、
前記タッチパネルの前記第１のスイッチの上部に設けられ、前記第１のスイッチをオン、オフさせるキーと、
前記タッチパネルのスイッチであって、携帯端末装置のケースの突起により押圧される位置に設けられ、前記突起により押圧された状態のときオンまたはオフ状態となる第２のスイッチと、
前記第２のスイッチがオン状態か、あるいはオフ状態かにより前記携帯端末装置が分解されたか否かを判断し、前記携帯端末装置が分解されたものと判断した場合に、内部に記憶されているデータを読み出せないようにする制御手段とを備えるデータ保護機能を有する携帯端末装置。
【発明の詳細な説明】
【０００１】
【発明の属する技術分野】
本発明は、データ保護機能を有する携帯端末装置に関する。
【０００２】
【従来の技術】
表示部が液晶表示装置などで構成された携帯端末装置では、液晶表示装置の上側にタッチパネルを設けて入力装置として用いるものがある。タッチパネル式入力装置は、透明接点の下側の液晶表示装置にキーに対応する文字または数値を表示し、ユーザが表示されたキーに触れることでキー入力を行えるようになっている。
【０００３】
ところで、液晶表示装置６１は、図７に示すように、液晶素子が設けられている表示領域Ａ’の他に、液晶を駆動するための電極、あるいは駆動回路を外部回路とケーブルで接続するための領域Ｂ’が必要となる。その領域Ｂ’は、液晶表示装置の表示に寄与しない無駄な部分（デッドスペース）となっている。通常、そのデッドスペースは、外部からは見えないようにケースなどで覆われている。
【０００４】
【発明が解決しようとする課題】
しかしながら、装置をより小型化するためには、デッドスペースを少なくすることが必要であり、特に、携帯端末装置のような小型の機器においては、無駄なスペースが極力少なくなるように設計することが要求されている。
【０００５】
また、タッチパネルは外部に露出しているので、静電気、ノイズ等がタッチパネルから装置の内部に進入して誤動作が生じる可能性があった。
また、装置が無断で分解されたか否かが分かるようにすることは、装置の内部に記憶してあるデータのセキュリティを高めるために必要である。
【０００６】
本発明の課題は、タッチパネル式入力装置の性能の向上を図ることである。他の課題は、タッチパネル式入力装置のスペースを有効に活用できるようにすることである。他の課題は、タッチパネル式入力装置の耐ノイズ性を高めることである。さらに、他の課題は、装置のセキュリティを高めることである。
【０００７】
【課題を解決するための手段】
本発明のデータ保護機能を有する携帯端末装置は、表示装置と、前記表示装置の上部に配置され、前記表示装置の表示領域外の対応する領域に第１のスイッチを設けたタッチパネルと、前記タッチパネルの第１のスイッチの上部に設けられ、前記第１のスイッチをオン、オフさせるキーと、前記タッチパネルのスイッチであって、携帯端末装置のケースの突起により押圧される位置に設けられ、前記突起により押圧された状態のときオンまたはオフ状態となる第２のスイッチと、前記第２のスイッチがオン状態か、あるいはオフ状態かにより前記携帯端末装置が分解されたか否かを判断し、前記携帯端末装置が分解されたものと判断した場合に、内部に記憶されているデータを読み出せなくする制御手段とを備える。
【０００８】
この発明によれば、従来、入力に用いられていなかったタッチパネルの領域をキー入力のための領域として利用できるので、タッチパネル式入力装置の入力スペースを有効に活用できる。
【０００９】
上記の発明において、前記スイッチは圧力によりオン、オフする感圧スイッチで構成しても良い。
このように構成することで、タッチパネルの表示領域外に配置したキーが押圧されたか否かを感圧スイッチにより検出することができる。
【００１０】
本発明のデータ保護機能を有する他の携帯端末装置は、表示装置と、前記表示装置の上部に配置され、前記表示装置の表示領域外の対応する領域に第１のスイッチを設けるとともに、外周部に装置のグランドと接続される導体層を形成したタッチパネルと、前記タッチパネルの前記第１のスイッチの上部に設けられ、前記第１のスイッチをオン、オフさせるキーと、前記タッチパネルのスイッチであって、携帯端末装置のケースの突起により押圧される位置に設けられ、前記突起により押圧された状態のときオンまたはオフ状態となる第２のスイッチと、前記第２のスイッチがオン状態か、あるいはオフ状態かにより前記携帯端末装置が分解されたか否かを判断し、前記携帯端末装置が分解されたものと判断した場合に、内部に記憶されているデータを読み出せないようにする制御手段とを備える。
【００１１】
本発明の装置の保護機構は、タッチパネルに設けられたスイッチと、装置が組み立てられた状態で前記スイッチの状態をオンまたはオフ状態に設定する部材と、前記スイッチがオンかオフかにより装置が開けられたか否かを検出する検出手段とを備える。
【００１２】
この発明によれば、装置が無断で開けられたか否かが分かるので、装置が開けられたことが検出された場合には、例えば、装置内部に記憶されているデータの読み出しができないようにしてデータを保護することができる。また、タッチパネルのスイッチと、そのスイッチをオンまたはオフ状態に設定する部材とから保護機構を構成できるので、簡素な構成の保護機構を実現できる。
【００１３】
【発明の実施の形態】
以下、本発明の実施の形態を図面を参照しながら説明する。図１は、本発明の第１の実施の形態のハンドヘルドターミナル（携帯端末装置）１１の外観斜視図である。
【００１４】
このハンドヘルドターミナル１１は、印字部１２と、タッチパネル２２（図３）と液晶表示装置２１からなる表示部１３と、キー入力部１４とを有する。表示部１３のタッチパネルの下部には５個のキー１５が配置されている。タッチパネル２２には、複数の感圧スイッチが設けられており、その感圧スイッチは、液晶表示装置の表示領域と表示領域外の両方の領域に設けられている。
【００１５】
ハンドヘルドターミナル１１の側面には、片手で持ったときの滑り止めのための突起１６が多数設けられている。
図２に示すように５個のキー１５は、表示部１３と別に構成されており、上ケース１７と下ケース１８を組み立てたときに、表示部１３のタッチパネル２２
（図３）の表示領域外の領域の感圧スイッチの上に固定されるようになっている。  図３は、表示部１３の断面図である。図３に示すように液晶表示装置２１の上にタッチパネル２２が配置され、タッチパネル２２の左隅の領域（図３の正面から見て）の上にキー１５が配置されている。
【００１６】
図３に示すように液晶表示装置２１の表示領域Ａの左側には、液晶の引き出し電極、あるいは駆動回路を外部回路とケーブル等で接続するための領域Ｂが設けられており、この領域Ｂは表示に利用できない領域である。
【００１７】
タッチパネル２２は、液晶表示装置２１の表示領域Ａの上方と、表示領域外の領域Ｂの上方の領域Ｃに、それぞれ圧力を加えると接点がオン（またはオフ）となる透明電極からなる感圧スイッチが設けられている。そして、その領域Ｃの上部にキー１５が配置されている。
【００１８】
従って、キー１５を操作することで、タッチパネル２２の表示領域外に設けられた感圧スイッチをオンさせることができるので、従来、使用されていなかったタッチパネル２２の表示領域以外の部分を入力領域として利用することができる。これにより、ハンドヘルドターミナル１１の入力部の面積を減らし装置を小型化できる。
【００１９】
次に、図４は、表示部３１とキー３２を一体に構成した例を示している。この例では、液晶表示装置とタッチパネルを一体に保持する樹脂製の枠３３にキー３２を取り付けている。
【００２０】
この場合も、キー３２の下側のタッチパネル３４の液晶表示装置の表示領域外の位置に感圧スイッチが設けられており、キー３２を押圧することで、それらの感圧スイッチをオンさせることができる。
【００２１】
第１の実施の形態においては、タッチパネル２２の表示領域Ａ以外の領域に複数の感圧スイッチを設け、その複数の感圧スイッチの上部にキー１５を設けている。
【００２２】
従って、従来、上ケース１７で覆われて利用されていなかった部分にキー１５を設けることができる。これにより、キー入力部１４のキーの数を減らして従来と同じキーの数を実現できるので装置をより小型化できる。
【００２３】
次に、図５は、本発明の第２の実施の形態のタッチパネル４１の外観図である。
この実施の形態のタッチパネル４１は、図示していないが外周部を囲むように導体層４２が形成されている。この導体層４２は、感圧スイッチの引き出し電極に接続されるケーブル４３のアースに接続される。
【００２４】
また、図５（Ａ）は、導体層４２をタッチパネル４１の表面シート４４上に形成した例を示し、図５（Ｂ）は、導体層４２を本体４５側に形成した例を示している。
【００２５】
この第２の実施の形態によれば、タッチパネル４１の外周部に導体層４２を形成し、その導体層４２をハンドヘルドターミナル１１のフレームグランドに接地することにより、ユーザがタッチパネル４１を操作したときに加わる静電気による高電圧、あるいはノイズをグランドに放出して機器の誤動作を防止できる。
【００２６】
次に、図６（Ａ）、（Ｂ）は、本発明の第３の実施の形態のハンドヘルドターミナル５１の内部構造を示す図である。
この第３の実施の形態のハンドヘルドターミナル５１は、上下のケースからなり、図６（Ａ）は、上ケース５２を、図６（Ｂ）は、下ケース５３を示している。
【００２７】
下ケース５３のタッチパネル５４には、その下側に配置されている液晶表示装置（図示せず）の表示領域、あるいは表示領域外の領域に感圧スイッチが設けられている。例えば、図６（Ｂ）に示すように、タッチパネル５４の左隅下（図６の正面から見て）に丸印で示す位置に感圧スイッチ５５が設けられている。
【００２８】
他方、上ケース５２のタッチパネル５４の右隅下（図６の正面から見て）の位置、つまり下ケース５３の感圧スイッチ５５に対応した位置には、突起５６が設けられている。この突起５６は、上ケース５２と一体に樹脂で構成しても良いし、他の部品をネジ、接着等により固定しても良い。
【００２９】
ハンドヘルドターミナル５１が使用される状態では、上ケース５２と下ケース５３とが組み合わされて、上ケース５２の突起５６が下ケース５３の感圧スイッチ５５を押圧し、感圧スイッチ５５がオンまたはオフ状態となっている。
【００３０】
この状態で、ハンドヘルドターミナル５１が分解されて上ケース５２と下ケース５３が分離されると、上ケース５２の突起５６が下ケースのタッチパネル５４の感圧スイッチ５５を押圧しなくなる。従って、感圧スイッチ５５のオン、オフを検出することで上ケース５２と下ケース５３が分離されたか、つまりハンドヘルドターミナル５１が分解されたか否かを検出できる。
【００３１】
例えば、ハンドヘルドターミナル５１が分解されたことが検出された場合、内部のデータを読み出せなくしたり、ＣＰＵが動作しなくなるようにすることで、ハンドヘルドターミナル５１のデータのセキュリティを高めることができる。
【００３２】
この第３の実施の形態によれば、下ケース５３のタッチパネル５４に感圧スイッチ５５を設け、上ケース５２側の感圧スイッチ５５と対応する位置に突起５６を設け、上ケース５２と下ケース５３を組み立てた状態で突起５６が感圧スイッチ５５を押圧するように構成し、感圧スイッチ５５の状態を検出することで、装置が分解されたか否かを判断することができる。そして、装置が開かれた場合には、動作しないように、あるいは内部に記憶してあるデータを読み出させなくする等の対策を講じることで、ハンドヘルドターミナル５１のセキュリティを高めることができる。
【００３３】
本発明は、上述した実施の形態に限らず、以下のように構成することができる。
第１の実施の形態において、タッチパネル２２の感圧スイッチの上に配置するキー１５は、キー入力部１４と一体に構成して、キー入力部１４をケースに取り付けるときにタッチパネル２２の上に配置されるようにしても良い。また、キー１５を設ける代わりに、タッチパネル２２に文字または数値を直接印刷し、あるいはキーが印刷されたフィルム等を貼っても良い。
【００３４】
第３の実施の形態において、装置が開けられた否かを検出するための感圧スイッチ５５は、タッチパネル５４の液晶表示装置の表示領域内に設けても良い。
タッチパネル２２、５４に設けるスイッチは感圧スイッチに限らず、非接触型のスイッチ、例えば、抵抗値の変化、容量変化等を検出するスイッチでも良い。
【００３５】
また、タッチパネル２２、５４の下に配置する表示装置は、液晶表示装置に限らず、ＣＲＴ、ＥＬ等他の表示装置でも良い。
本発明は、ハンドヘルドターミナル等の携帯型端末装置に限らず、設置型の端末装置の入力装置にも適用できる。
【００３６】
【発明の効果】
本発明によれば、従来、入力領域として用いられていなかったタッチパネルの領域をキー入力のための領域として利用できるので、タッチパネル式入力装置の入力スペースを有効に活用できる。また、外部に露出するタッチパネルから入力する静電気、ノイズ等をフレームグランドに放出できるので、装置の誤動作を防止できる。さらに、装置が無断で開けられたか否かが分かるので、例えば、装置が開けられたことを検出したなら、装置内部に記憶されているデータの読み出しができないようにしてデータを保護することができる。また、タッチパネルのスイッチと、そのスイッチをオンまたはオフ状態に設定する部材とから保護機構を構成できるので、簡素な構成の保護機構を実現できる。
【図面の簡単な説明】
【図１】第１の実施の形態のハンドヘルドターミナルの外観斜視図である。
【図２】表示部とキー入力部の外観図である。
【図３】表示部の断面図である。
【図４】表示部の他の構成例を示す図である。
【図５】第２の実施の形態のタッチパネルの構造を示す図である。
【図６】第３の実施の形態のハンドヘルドターミナルの構造を示す図である。
【図７】液晶の表示領域の説明図である。
【符号の説明】
１１，５１    ハンドヘルドターミナル
１３、３１    表示部
１４          キー入力部
１５          キー
２１          液晶表示装置
２２，４１，５４    タッチパネル
４２          導体層
５５          感圧スイッチ
５６          突起
【図１】
0003560237.tif 000002
【図２】
0003560237.tif 000003
【図３】
0003560237.tif 000004
【図４】
0003560237.tif 000005
【図５】
0003560237.tif 000006
【図６】
0003560237.tif 000007
【図７】
0003560237.tif 000008